(57)【要約】【課題】フェイスの途中に取り替え可能なソールを挿入してパターヘッドのウェイトを変えられるようにする。【解決手段】本パターは比較的薄いフェイスと、中央部より厚く、そして重いヒール部とトー部と、ソールの中央部から出来ている。ソールの中央部はカットアウトされている。カットアウト部は、パターのバックサーフェイスからフェイスに向かって伸びる、向かい合い、平行な窪みエッジを有する。インサートは、適当な場所にインサートを保持するために、窪みエッジにかみ合い、カットアウト部にはめ込むために設計されている。ソールはフラット又は、湾曲しており、またインサートはソールと一致する底面を有する。ネックは、パターヘッドとシャフトを受け止めるホーゼルを連結する。ホーゼルは、パターのトップサーフェイスと角度が一致するように切断された、外部のエンドを有する。【選択図】　　　　　図１０
2004008682.tif 000002
【特許請求の範囲】
【請求項１】
ゴルフボールを打つためのフェイスと、
ゴルフグリーンの表面と隣接する位置関係にあるソールと、
バックサーフェイスと、
前記ソールと実質的に平行に配置されているトップサーフェイスと、
前記トップサーフェイスから前記フェイスの前方に位置づけられたホーゼルまで伸びる、該ホーゼルを支持するためのエロンゲーティッドネックとを備え、
前記ホーゼルは、パターシャフトを受け止めるための開口部を有し、
前記ホーゼルは、前記トップサーフェイスと平行に配置されたエッジを有し、
パターヘッドは、前記フェイスと前記バックサーフェイスとの間の中央部における厚さが、ヒールとトーの部分の厚さよりも少なくとも約２０％以下であり、
前記ソールは、前記ヒールとトーの部分の厚さより少なくとも概ね２０％以下の薄い前記中央部を有し、
前記ソールは、前記バックサーフェイスから前記フェイスに向かうカットアウト部を有し、
該カットアウト部は、平行な窪みエッジを有し、
さらに、前記窪みエッジ内にスライドするように設計されたエッジをし、前記カットアウト部の少なくともいくつかを塞ぐように設計されたインサートを備える、
ゴルフパターヘッド。
【請求項２】
前記インサートの素材の密度が、前記パターヘッドの素材の密度と異なる、請求項１に記載のゴルフパターヘッド。
【請求項３】
前記インサートをともなった前記パターヘッドの全てのウェイトが、概ね２７５から４００グラムであり、そして前記インサートのウェイトが、概ね５から１５０グラムである、請求項１に記載のゴルフパターヘッド。
【請求項４】
前記インサートの幅が概ね０．２５から２インチで、厚さが概ね０．０６２５から０．５インチで、そして長さが概ね０．５から３インチである、請求項１に記載のゴルフパターヘッド。
【請求項５】
前記パターヘッドがステンレススチールから形成され、そして前記インサートがアルミニウムから形成される、請求項１に記載のゴルフパターヘッド。
【請求項６】
前記ネックが、延長部分と平行な少なくともひとつの窪みがある、請求項１に記載のゴルフパターヘッド。
【請求項７】
前記ヒールとトーの部分のフェイスからバックサーフェイスまでの厚さが、少なくとも概ね１インチである、請求項１に記載のゴルフパターヘッド。
【請求項８】
前記ヒールとトーの部分のソールからトップサーフェイスまでの厚さが、少なくとも概ね１．５インチである、請求項１に記載のゴルフパターヘッド。
【請求項９】
ゴルフボールを打つためのフェイスと、
ゴルフグリーンと隣接する位置関係にあるソールと、
バックサーフェイスと、
前記ソールと実質的に平行に配置されているトップサーフェイスと、
前記トップサーフェイスから前記フェイスの前方に位置づけられたホーゼルまで伸びる、該ホーゼルを支持するためのエロンゲーティッドネックとを備え、
前記ネックは前記エロンゲーティッドネックに沿って少なくともひとつの窪みを有し、
前記ホーゼルは、パターシャフトを受け止めるための開口部を有し、
該開口部は、前記トップサーフェイスと平行に配置され、
前記パターヘッドは、中央部のフェイスからバックサーフェイスまでの厚さが、ヒールからトーの部分の厚さより少なくとも２０％以下であり、
前記ソールは、前記中央部において、概ね０．０６２５から０．５インチの間の厚みを有し、そして前記ヒールとトーの部分において、少なくとも概ね三つの前記中央部の厚みを有し、
前記ソールは、前記バックサーフェイスから前記フェイスまで伸びたカットアウト部を有し、
該カットアウト部は、前記バックサーフェイスから伸びた、平行な窪みエッジを有し、
さらに、前記カットアウト部を埋めるように設計され、前記窪みエッジへとスライドさせるように設計されたエッジを有するインサートを備えた、
ゴルフパターヘッド。
【請求項１０】
前記インサートの素材の密度が、前記パターヘッドの素材の密度と異なる、請求項９に記載のゴルフパターヘッド。
【請求項１１】
前記インサートも含めた前記パターヘッド全体の重量が、概ね２７５から４００グラムで、また前記インサートの重量が概ね５から１５０グラムである、請求項９に記載のゴルフパターヘッド。
【請求項１２】
前記インサートがアルミニウム、アセチル樹脂、エポキシ樹脂、アクリル樹脂などのプラスチック、銅、グラファイト、スチール、劣化ウラン、タングステン、真鍮、チタニウム、木、ラバー、プラスチックを満たしたファイバー、プラスチック、そして、これらの混合物や結合体で構成されるグループから、選択された素材で形成される、請求項９に記載のゴルフパターヘッド。
【請求項１３】
前記パターヘッドがステンレススチールから形成され、並びに前記インサートがアルミニウムから形成される、請求項９に記載のゴルフパターヘッド。
【発明の詳細な説明】
【０００１】
【発明が属する技術分野】
本発明は、ゴルフクラブ、特にパターヘッドに関する。
【０００２】
【従来の技術】
様々な種類のゴルフクラブが、いろいろな素材からいろいろな形をともなって発展を遂げてきた。パターのデザインはとぎれなく変わり続けてきた。本質的にすべてのパターは、クラブシャフトを受け止め連結する為のホーゼルと、ブレードの連結部と、ボールを打つ為のブレードを有している。インパクト時のサイドスピンやボールの横滑りを抑えながら、トップスピンをかけてボールをまっすぐに打ち出すことを正確に為すこと意図して、ブレードは様々な角度からでも垂直であり、そして様々なウェイトを分布させている。
【０００３】
パターは様々な素材から作られている。一般的に、パターは鋳造若しくは旋盤によって金属から形成される。また、一部に合成物、プラスチック又は、木が、使われているものもある。パターのブレードに沿って分布されたウェイトは、有効に影響する。あるパターは、下部のエッジに沿ってウェイトを集中させ、あるものは上方のエッジに集中させ、またあるものはパターのセンター又は、エンドに向かってウェイトを集中させている。
【０００４】
図１〜３には、現代の先行技術によるパター１０を示してある。パター１０はパターシャフトを受け止めるホーゼルによってパターヘッドが連結されたオフセットネック１４を有するパターヘッド１２が付いている。（図には示していない）　ホーゼルは基本的に、ホーゼルのセンターラインと直角に交わるレシーヴィングエンド・シャフトを有する円筒形のチューブである。ネック１４の横断面は普通、長方形から円形の間である。
【０００５】
パターヘッド１２は、フラット又は、わずかにカーブしたソール１８を有する。フラットなフェイス１９とソール１８の角度は、概ね９０°である。パターヘッド１２は、相当厚いヒール２２と、トー２４がついた、薄い中央部２０を有する。
【０００６】
こうした従来のパターを持つプレーヤーは、色々なパターヘッドの特質、特に中央部２０と、ヒール２２とトー２４の間のウェイトの関係を修正又は、選択することはできない。
【０００７】
【発明が解決しようとする課題】
ある環境下で、パターのウェイトバランス、そして総重量を様々な条件と様々なプレーヤーに適応させるために変化させることが望まれる。
【０００８】
望んだラインに沿って、望んだ距離までボールを安定して進め、もしサイドスピンが起きても、最小限に抑え、もしパット時にパターがグリーンの表面にふれたとしても、インパクトの時にボールに横滑りや、ねじれを大きくさせないことが、パターには引き続き必要とされ、そして望まれる。
【０００９】
【課題を解決するための手段】
上記の問題、そしてその他の問題は、垂直から約５°の角度の傾斜を付けたフラットなフェイスを有するパターと、センターセクションと二つのエンドセクションを有するフェイスと、均一で、比較的薄いセンターセクションと、そして、フェイスの裏側の大半の素材があらかじめ形成されたエンドセクションを備えた、様々なソールプレートを挿入するシステムである本発明によって克服される。パターはヒールからトーの部分において概ね１０から１３インチの半径で適度に湾曲するアーチと、概ね２０から２６インチのセンターセクションの範囲で、約２から３インチの半径で適度に湾曲したソールを有する。ソールの中央部は、大部分がソール上方に延長されたエンドとともに、切り取られている。延長部は、約０．３７５から０．７５０インチの間隔でパターフェイスのトップエッジの前面に配置されたホーゼルのセンターラインを伴って、ホーゼルとパターフェイスの上部を連結している。
【００１０】
インターロッキング法はカットアウト部のエンドに施されており、したがって様々な素材のインサートをパターに固定することが出来る。インサートはそれに適する比較的軽いウェイトの素材から形成されている。パターを想起すると、ステンレススチールなどの比較的重い素材から形成されている。重量の軽いソールインサートは、ソールプレートからブレードのトップまで重心を拡大させつつ、パターの重心を持ち上げることがわかった。このことがトップスピンを増大させ、パターのフェイスとボールが最初に接触する際の横滑りを低減させ、大きなスウィートスポットによってサイドスピンを低減させることがわかった。
【００１１】
インサートに適した典型的な軽量素材は、アルミニウム、銅、又はエポキシ、アクリル、アセチルなどの様々なプラスティック、グラファイト、チタニウム、木、ゴム又はそれらの結合体である。インサートは電気メッキ、塗装、若しくはクリアコーティング、陽極処理などをされえる。パターのボディはステンレススティール、真鍮又は、それらの結合体のような比較的重く、丈夫で、そして摩擦抵抗のある素材から形成される。
【００１２】
【発明の実施の形態】
中央部とエンド部の間に様々なウェイトを付ける改良されたパターの詳細は、図４から１０に示されている。それらに示してあるように、斬新な本パターはネック３２とホーゼル３４を含めたパターヘッド３０を有する。ネック３２は、最大限強度を残す一方で、ウェイトをなるべく減らす為、縦方向の窪み３３をネック３２に沿って、フロントとバックの両方又は、どちらか一方に有する。
【００１３】
ゴルファーに、ボールをパットしようと意図した方向に対して、垂直方向に照準を示すため、パターヘッド３０は、できるだけフラットに形成されたトップサーフェイス３８を有する。概ねフラットなフェイス４０と、ソール４２は、パターヘッドのフロントサーフェイスとボトムサーフェイスを形成する。ソール４２はフラットか、若しくは凸型であることが望まれる。フェイス４０はソール４２と、概ね３から４．５°の角度が付いていることが望ましい。バックサーフェイス４４は不均一に形成され、パターヘッドを仕上げている。
【００１４】
フェイス４０からバックサーフェイス４４間のパターヘッド３０の中央部４６は比較的薄く、それ故パターヘッドのウェイトの大部分は、フェイス４０とバックサーフェイス４４の間と、ソール４２とトップサーフェイス３８の間の厚いヒール４８とトー５０に集中する。
【００１５】
図１０で最もよく分かるように、ソール４２は窪みエッジ５２が、バックサーフェイス４４まで伸びており、それぞれ平行にカットアウトされている。できれば窪みエッジ５２は、バックサーフェイス４４に垂直であることが望ましい。
【００１６】
インサート５４は、（図１０に最もよく示されているように）カットアウト部にある窪みエッジ５２の間にスライドするような形に設計された、エッジ５６を有している。インサート５４のウェイトは、ヒール４８とトー５０と対応して中央部４６のウェイトを変化させるために、その体積と素材両者を変えることが出来る。多くのプレーヤーは、ボールがフェイスの中央からずれたところに当たり、ツイストするというパターの傾向を軽減する為、比較的軽いインサート５４を好む。また別のプレーヤーは、フェイスに沿って、より均一にウェイトが分布した堅い感触を好む。通常、パターヘッド３０は概ね２７５から４００グラムのウェイトであり、そしてインサート５４は、概ね２から１５０グラムのウェイトである。インサート５４はカットアウト部に通常接着剤による接着、半田付、スウェイギングなどでしっかりと装着される。このインサートは適切な道具を用いれば、技術者や製作所の従業員によって、これをはずし、様々なウェイトのインサートに取り替えることが可能である。
【００１７】
インサート５４に使われえる典型的な素材は、アルミニウム、アセチル樹脂、エポキシ樹脂、アクリル樹脂などのプラスチック、銅、グラファイト、スティール、劣化ウラン、タングステン、真鍮、チタニウム、木、ラバー、プラスチックを詰めたファイバー、発砲プラスチックなどである。インサートは、もし望むならば、電気メッキ、塗装、その他の方法で覆うことが出来る。通常、インサートは、概ね２から１５０グラムのウェイトであり、比較的軽いウェイトのインサートでは、アルミニウムとアセチル樹脂が好まれ、比較的重いインサートでは、劣化ウラン、スチール、タングステンが好まれ、こうしたインサートはＤｅｌｒｉｎという登録商標で販売されている。
【００１８】
インサートとパターヘッドは、鋳造やコンピュータ制御機械による製作など、適切な方法で生産される。インサートには、ある適切な寸法がある。インサートは、幅概ね０．２５から２インチ、長さ概ね０．５から３．５インチ、そして厚さ概ね０．０６２５から０．５インチのものが、最良の結果を供与するものとして望ましい。最良の結果を得るために、ヒールとトーの部分はフェイスからバック、ソールからトップまでを計ったときに、少なくとも１．５インチの厚みがあることが望ましい。一般的に、フェイス中央部の厚みは、概ね０．２から０．５インチが望ましい。一般にフェイスとインサートの厚みは、ヒールとトーの部分の厚みと一致させるために、それぞれ概ね２０％以下であるべきである。
【００１９】
本発明のその他の応用、ヴァリエーション、分岐は、上記の開示を読むことによって、こうした技術を生じる。これらは添付した請求項において明示され、本発明の範囲の中に含まれると意図する。
【００２０】
【発明の効果】
本発明は以上のように構成されているので、以下に掲げる効果を奏する。
【００２１】
ある環境下で、パターのウェイトバランス、そして総重量を様々な条件と様々なプレーヤーに適応させるために変化させることができる。
【００２２】
また、望んだラインに沿って、望んだ距離までボールを安定して進め、もしサイドスピンが起きても、最小限に抑え、もしパット時にパターがグリーンの表面にふれたとしても、インパクトの時にボールに横滑りや、ねじれを大きくさせないことがことが出来る。重量の軽いソールインサートは、ソールプレートからブレードのトップまで重心を拡大させつつ、パターの重心を持ち上げるため、このことがトップスピンを増大させ、パターのフェイスとボールが最初に接触する際の横滑りを低減させ、大きなスウィートスポットによってサイドスピンを低減させるので、インサートの大きさ、ウェイト、素材などを選択することによって、よりそのパターの性能を向上させることができる。
【００２３】
また、このインサートを、技術者や製作所の従業員によって、適切な道具を用い、これをはずせば、様々なウェイトのインサートに取り替えることが可能であるので、パターを使用するプレイヤーの好みによって色々なパターヘッドの特質、特に中央部とヒールとトーの間のウェイトの関係を修正又は、選択することができる。
【図面の簡単な説明】
【図１】先行技術によるパターの平面図である。
【図２】図１の先行技術によるパターの背面立面図である。
【図３】図１の先行技術によるパターのトーエンド図である。
【図４】本発明のパターの平面図である。
【図５】図４のパターの背面立面図である。
【図６】図４のパターのトーエンド図である。
【図７】図４のパターの底面図である。
【図８】図４のパターのフェイスの立面図である。
【図９】図４のパターのヒールの立面図である。
【図１０】図４のパターにソールを挿入する所を表した後方からの図である。
【符号の説明】
１０．パター
１２．パターヘッド
１４．ネック
１８．ソール
１９．フェイス
２０．中央部
２２．ヒール部
３０．パターヘッド
３２．ネック
３３．縦方向の窪み
３４．ホーゼル
３８．トップサーフェイス
４０．フェイス
４２．ソール
４４．バックサーフェイス
４６．中央部
４８．ヒール部
５０．トー部
５２．窪みエッジ
５４．インサート
５６．エッジ
【図１】
2004008682.tif 000003
【図２】
2004008682.tif 000004
【図３】
2004008682.tif 000005
【図４】
2004008682.tif 000006
【図５】
2004008682.tif 000007
【図６】
2004008682.tif 000008
【図７】
2004008682.tif 000009
【図８】
2004008682.tif 000010
【図９】
2004008682.tif 000011
【図１０】
2004008682.tif 000012